(57)【要約】      （修正有）【課題】容易に機器から取り出すことができるトランシーバモジュールを提供する。【解決手段】機器に対して挿抜されるトランシーバモジュール１０であって、機器に対して挿入された際に、機器に係合される係合部２１ａを備えると共に、機器に対する挿入端とは反対側の端部に位置する前面側接続端子部１１の周囲に位置して設けられたレバー部２２，２３を備え、レバー部をさらに前面側に回動させることにより係合部の係合状態を解除するよう構成され、レバー部を前面側に回動させた状態でレバー部を前面側に引っ張ることによりトランシーバモジュール自体を機器から抜き取ることが可能なよう構成されており、レバー部は、前面側接続端子部の形成面よりも前面側に突出して形成され、レバー部を回動操作することが可能な突出部２３ａを有する。【選択図】図４
2017187692.tif 000002
【特許請求の範囲】
【請求項１】
機器に対して挿抜されるトランシーバモジュールであって、
前記機器に対して挿入された際に、当該機器に係合される係合部を備えると共に、
前記機器に対する挿入端とは反対側の端部に位置する前面側接続端子部の周囲に位置して設けられたレバー部を備え、当該レバー部をさらに前面側に回動させることにより前記係合部の係合状態を解除するよう構成され、当該レバー部を前面側に回動させた状態で当該レバー部を前面側に引っ張ることによりトランシーバモジュール自体を前記機器から抜き取ることが可能なよう構成されており、
前記レバー部は、前記前面側接続端子部の形成面よりも前面側に突出して形成され、当該レバー部を回動操作することが可能な突出部を有する、
トランシーバモジュール。
【請求項２】
請求項１に記載のトランシーバモジュールであって、
前記レバー部は、前記前面側接続端子部の周囲を囲って略Ｕ字状に形成されると共に、その両端がトランシーバモジュール本体に軸支されており、当該レバー部の両端が位置する辺に挟まれた中央部分に前記前面側接続端子部の形成面よりも前面側に突出して形成された前記突出部を有する、
トランシーバモジュール。
【請求項３】
請求項２に記載のトランシーバモジュールであって、
前記レバー部は、前記突出部を前記前面側接続端子部の形成面よりも前面側に回動させることで、当該突出部が前記前面側接続端子部の形成面よりもさらに前面側に位置するよう構成されている、
トランシーバモジュール。
【請求項４】
請求項３に記載のトランシーバモジュールであって、
前記レバー部は、前記前面側接続端子部の形成面よりも前面側に回動した際に、当該レバー部自体が、当該レバー部が回動前の位置よりもさらに前記前面側接続端子部の形成面よりも前面側に位置するよう形成されている、
トランシーバモジュール。
【請求項５】
請求項４に記載のトランシーバモジュールであって、
前記レバー部は、前記前面側接続端子部の形成面よりも前面側に回動した際に、当該レバー部自体が、自己のトランシーバモジュールに隣接して前記機器に対して挿入されている他のトランシーバモジュールに当接しないよう構成されている、
トランシーバモジュール。
【発明の詳細な説明】
【技術分野】
【０００１】
本発明は、トランシーバモジュールにかかり、特に、機器に対して挿抜可能であり、ケーブルを接続可能なトランシーバモジュールに関する。
【背景技術】
【０００２】
サーバコンピュータやネットワーク機器などの機器に、光通信ケーブルなどのケーブルを接続する際には、トランシーバモジュールが用いられる。トランシーバモジュールは、機器に対して挿抜可能に構成されており、機器に対する挿入端とは反対側の端部に、ケーブルの接続口となる接続端子を備えている。
【０００３】
ここで、特許文献１に、トランシーバモジュールの一例が開示されている。この特許文献１に記載のトランシーバモジュールは、まず、機器に形成された挿入口となるケージに挿入されると、モジュール自体の側面に形成されたスライド部の係合部がケージ内部に係合される。これにより、トランシーバモジュールを機器に装着することができる。一方、機器からトランシーバモジュールを取り外す際には、機器に対する挿入端とは反対側の端部に設けられた取っ手部を回転させる。すると、取っ手部の回転に伴い、スライド部がスライドすることとなり、ケージ内部との係合状態が解除される。これにより、機器からトランシーバモジュールを取り出すことができる。
【先行技術文献】
【特許文献】
【０００４】
【特許文献１】特開２０１５−３１８０５号公報
【発明の概要】
【発明が解決しようとする課題】
【０００５】
しかしながら、上述した特許文献１に記載のトランシーバモジュールでは、機器からの取り出しに不都合が生じる。例えば、近年においては、機器にトランシーバモジュールを密接させて配置する構造が採用されているが、トランシーバモジュールが密接された状態では、挿入端とは反対側の端部側である前面側に設けられた取っ手部を操作することが困難となる。つまり、特許文献１の構造では、トランシーバモジュールの前面側の周囲に取っ手部が設けられているが、他のトランシーバモジュールが隣接した状態では、前面側の周囲の空間が狭く、操作者が取っ手部を回動操作することが困難となる。
【０００６】
このため、本発明の目的は、上述した課題である、機器からトランシーバモジュールを取り出すことが困難であることを解決する、ことにある。
【課題を解決するための手段】
【０００７】
本発明の一形態であるトランシーバモジュールは、
機器に対して挿抜されるトランシーバモジュールであって、
前記機器に対して挿入された際に、当該機器に係合される係合部を備えると共に、
前記機器に対する挿入端とは反対側の端部に位置する前面側接続端子部の周囲に位置して設けられたレバー部を備え、当該レバー部をさらに前面側に回動させることにより前記係合部の係合状態を解除するよう構成され、当該レバー部を前面側に回動させた状態で当該レバー部を前面側に引っ張ることによりトランシーバモジュール自体を前記機器から抜き取ることが可能なよう構成されており、
前記レバー部は、前記前面側接続端子部の形成面よりも前面側に突出して形成され、当該レバー部を回動操作することが可能な突出部を有する、
という構成をとる。
【０００８】
また、上記トランシーバモジュールでは、
前記レバー部は、前記前面側接続端子部の周囲を囲って略Ｕ字状に形成されると共に、その両端がトランシーバモジュール本体に軸支されており、当該レバー部の両端が位置する辺に挟まれた中央部分に前記前面側接続端子部の形成面よりも前面側に突出して形成された前記突出部を有する、
という構成をとる。
【０００９】
また、上記トランシーバモジュールでは、
前記レバー部は、前記突出部を前記前面側接続端子部の形成面よりも前面側に回動させることで、当該突出部が前記前面側接続端子部の形成面よりもさらに前面側に位置するよう構成されている、
という構成をとる。
【００１０】
また、上記トランシーバモジュールでは、
前記レバー部は、前記前面側接続端子部の形成面よりも前面側に回動した際に、当該レバー部自体が、当該レバー部が回動前の位置よりもさらに前記前面側接続端子部の形成面よりも前面側に位置するよう形成されている、
という構成をとる。
【００１１】
また、上記トランシーバモジュールでは、
前記レバー部は、前記前面側接続端子部の形成面よりも前面側に回動した際に、当該レバー部自体が、自己のトランシーバモジュールに隣接して前記機器に対して挿入されている他のトランシーバモジュールに当接しないよう構成されている、
という構成をとる。
【発明の効果】
【００１２】
本発明は、以上のように構成されていることにより、機器にトランシーバモジュールが密接させて配置されている場合であっても、レバー部を容易に操作することができ、トランシーバモジュールを容易に機器から取り外すことができる。
【図面の簡単な説明】
【００１３】
【図１】本発明におけるトランシーバモジュールを機器に装着している時の様子を示す図である。
【図２】本発明におけるトランシーバモジュールを機器に装着している時の様子を示す図である。
【図３】本発明におけるトランシーバモジュールの構成を示す平面図である。
【図４】本発明におけるトランシーバモジュールの構成を示す斜視図である。
【図５】本発明におけるトランシーバモジュールの前面側接続端子部付近の構成を示す斜視図である。
【図６】本発明におけるトランシーバモジュールの取り外し動作を説明する図である。
【図７】本発明におけるトランシーバモジュールの取り外し動作を説明する図である。
【図８】本発明におけるトランシーバモジュールの取り外し動作を説明する図である。
【図９】機器にトランシーバモジュールを装着する他の構成例を示す図である。
【発明を実施するための形態】
【００１４】
本発明の実施形態を、図１乃至図９を参照して説明する。図１乃至図２は、複数のトランシーバモジュールを機器に対して装着しているときの様子を示す図である。図３乃至図５は、トランシーバモジュールの構成を示す図である。図６乃至図８は、トランシーバモジュールの取り外し動作を説明するための図である。図９は、機器にトランシーバモジュールを装着する他の構成例を示す図である。
【００１５】
本実施形態におけるトランシーバモジュールは、サーバコンピュータやネットワーク機器といった機器に、光通信ケーブルなどのケーブルを接続する際に用いるものである。以下、図１及び図２に示すように、機器５０に対して縦方向に一列に、複数のトランシーバモジュール１０が挿抜可能に装着され、当該トランシーバモジュール１０の前面側接続端子部１１にケーブル３０が接続されている構成を例に挙げて説明する。なお、本発明におけるトランシーバモジュール１０は、必ずしも図１及び図２に示すような配置で機器５０に装着されることに限定されず、いかなる配置で装着されてもよい。例えば、横方向に一列に配置されていてもよく、複数列に配置されていてもよい。
【００１６】
具体的に、本実施形態における機器５０には、外表面から内部に向かってトランシーバモジュール１０が挿入されるケージ（図示せず）が、縦方向に沿って一列に複数形成されている。ケージは、トランシーバモジュール１０の外形とほぼ同一形状に形成されている。つまり、ケージは、直方体つまり断面長方形の棒状体に形成されたトランシーバモジュール１０の外形に対応して、細長い断面長方形の孔で形成されている。そして、ケージには、トランシーバモジュール１０が、挿入端となる内部側端子部１２側から挿入されるが、ケージの内側面には、挿入されたトランシーバモジュール１０を保持する保持部が形成されている。
【００１７】
そして、機器５０のケージにトランシーバモジュール１０が挿入されると、当該機器５０の外表面からは、図１に示すように、トランシーバモジュール１０の挿入端とは反対側に位置する前面側接続端子部１１が露出した状態となる。なお、機器５０の外表面からトランシーバモジュール１０の前面側接続端子部１１が突出する側、つまり、図１において機器５０よりも右側を、前面側と呼ぶこととする。
【００１８】
ここで、トランシーバモジュール１０の前面側接続端子部１１には、図１及び図２に示すように、光通信ケーブルなどのケーブル３０が接続されることとなる。
【００１９】
そして、トランシーバモジュール１０の前面側接続端子部１１の周囲及び内部側には、当該トランシーバモジュール１０を機器１０に対して挿抜する際に必要となる構成である挿抜機構２０が設けられている。以下、挿抜機構２０について、図３乃至５を参照して説明する。
【００２０】
まず、図３は、トランシーバモジュール１０を上方から見た平面図であり、図４は斜視図である。これらの図に示すように、トランシーバモジュール１０の前面側接続端子部１１の周囲及び内部側には、挿抜機構２０として、スライド部２１と、レバー部２２，２３と、を備えている。レバー部２２，２３は、前面側接続端子部１１の周囲を囲って略Ｕ字状、換言すると、略コ字状に形成されている。具体的に、レバー部２２，２３は、前面側接続端子部１１の両側面にそれぞれ沿って設けられた側板部２２と、前面側接続端子部１１の上面に沿って設けられ両側板部２２を連結する中央板部２３と、を有して構成されている。つまり、中央板部２３は、レバー部の両端が位置する側板部２２にて形成された辺部分に挟まれて、レバー部の中央部分に位置している。
【００２１】
前面側接続端子部１１の両側面にそれぞれ沿って設けられた側板部２２は、下端側で前面側接続端子部１１の側面（トランシーバモジュール１０の本体）に軸支されている。このため、図５に示すように、側板部２２は、上端側が、前面側接続端子部１１の上面側から前面側に位置するよう回動することとなる。これに伴い、両側板部２２の上端側に連結している中央板部２３は、図４及び図５に示すように、前面側接続端子部１１の上面側から前面側に位置するよう回動することとなる。
【００２２】
そして、中央板部２３は、図３及び図４に示すように、前面側接続端子部１１の上面に沿って位置する状態で、当該前面側接続端子部１１の形成面よりもさらに前面側に突出した突出部２３ａを有している。具体的に、突出部２３ａは、中央板部２３の前面側に位置する辺に設けられており、さらに、中央板部２３の両端付近、つまり、中央板部２３の各側板部２３との連結箇所付近に、それぞれ設けられている。一方で、中央板部２３の前面側に位置する辺のうち、両突出部２３ａの間に位置する中央付近には、機器５０への挿入端側に向かって凹む凹部２３ｂが形成されている。この凹部２３ｂは、図５に示すように中央板部２３が回動して前面側接続端部１１よりも前面側に位置する状態では、下方を向いて位置することとなる。
【００２３】
また、中央板部２３には、図３及び図４に示すように、前面側接続端子部１１の上面に沿って位置する状態で、前面側とは反対側に位置する辺に、前面側に向かって凹む操作凹部２３ｃが形成されている。この操作凹部２３ｃは、図５に示すように中央板部２３が回動して前面側接続端部１１よりも前面側に位置する状態では、上方を向いて位置することとなる。
【００２４】
ここで、レバー部２２，２３を構成する上述した側板部２２には、トランシーバモジュール１０の側面に沿って設けられた挿抜機構２０を構成するスライド部２１が連結している。スライド部２１は、図４及び図５に示すように、側板部２２の回転に応じて、トランシーバモジュール１０の側面に沿ってスライド移動するよう構成されている。そして、スライド部２１の先端（トランシーバモジュール１０の挿入端側の端部）には、爪部２１ａ（係合部）が設けられている。
【００２５】
爪部２１ａは、トランシーバモジュール１０が機器５０のケージに挿入された際には、当該ケージの内側面に設けられた保持部と係合される。このとき、レバー部２２，２３は、図４に示すように、前面側接続端子部１１の周囲に位置する状態であり、爪部２１ａは挿入端側に位置している状態である。一方で、レバー部２２，２３が、図５に示すように、前面側接続端子部１１よりも前面側に位置するよう回動した状態となると、スライド部２１つまり爪部２１ａが前面側にスライド移動する。すると、爪部２１ａと機器５０のケージ内の保持部との係合状態が解除される。なお、スライド部２１の爪部２１ａによるケージとの係合あるいは解除については、特許文献１に記載されているため、詳しい説明は省略する。
【００２６】
以上のように構成されたトランシーバモジュール１０の機器５０に対する着脱の動作について、図６乃至図８を参照して説明する。まず、図６は、機器５０に対して複数のトランシーバモジュール１０が装着されている状態を示している。この図では、レバー部２２，２３が前面側接続端子部１１の周囲に位置する状態であり、スライド部２１の爪部２１ａによって機器５０のケージ内にトランシーバモジュール１０が係合して装着された状態である。なお、前面側接続端子部１１には、ケーブルが接続されていてもよい。
【００２７】
そして、図６の状態から、操作者がトランシーバモジュール１０を抜き取る際には、レバー部２２，２３を回動させる必要がある。このとき、レバー部２２，２３を構成する中央板部２３に設けられた突出部２３ａが、前面側接続端子部１１の形成面よりもさらに前面側に突出している。このため、他のトランシーバモジュールが隣接して装着されている場合であっても、操作者が突出部２３ａを容易に操作することができ、レバー部２２，２３を回動させることができる。例えば、図６の状態から図７に示すように、上段側に位置するトランシーバモジュール１０のレバー部２２，２３を容易に回動させることができ、また、図６の状態から図８に示すように、下段側に位置するトランシーバモジュール１０のレバー部２２，２３も容易に回動させることができる。
【００２８】
そして、図７や図８に示すように、レバー部２２，２３を回動させた際には、レバー部２２，２３自体、特に、レバー部２２，２３を構成する中央板部２３は、前面側接続端子部１１の形成面よりもさらに前面側に位置する。つまり、レバー部２２，２３の中央板部２３は、レバー部２２，２３の回動前の位置よりもさらに前面側に位置する。このため、レバー部２２，２３を回動させた場合であっても、図７の下段側に隣接して位置する他のトランシーバモジュールのレバー部には、当接しないよう構成されている。このとき、レバー部２２，２３を構成する中央板部２３の突出部２３ａは下方側に位置しているが、中央板部２３の両端付近に位置しているため、下段側の他のトランシーバモジュールやケーブルへの接触を回避することができる。また、中央板部２３の突出部２３ａの間には凹部２３ｂも形成されているため、同様に下段側の他のトランシーバモジュールやケーブルへの接触を回避することができる。
【００２９】
また、図７や図８に示すように、トランシーバモジュール１０のレバー部２２，２３を回動させることで、上述したようにスライド部２１が前面側にスライド移動し、スライド部２１の爪部２１ａと機器５０のケージ内との係合状態が解除される。そして、レバー部２２，２３を構成する中央板部２３が前面側に位置しているため、かかる中央板部２３を操作者が前面側に引っ張ることで、トランシーバモジュール１０自体を機器５０のケージから抜き取ることが可能となる。なお、図７や図８に示すようにレバー部２２，２３が回動された際には、前面側に位置している中央板部２３の上方側に、図５に示す操作凹部２３ｃが位置している。このため、操作者は、操作凹部２３ｃに触れてレバー部２２，２３引っ張るといった操作を行うことが容易となり、抜き取り操作が容易となる。
【００３０】
以上のように、本発明によると、機器５０にトランシーバモジュール１０が密接させて配置されている場合であっても、レバー部２２，２３を容易に操作することができ、トランシーバモジュール１０を容易に機器５０から取り外すことができる。
【００３１】
なお、上記では、レバー部２２，２３が逆Ｕ字状にトランシーバモジュール１０も設けられている場合を説明したが、上述した説明とは上下逆向きに設けられていてもよい。あるいは、中央板部２３が側面に沿って位置して設けられていてもよい。さらには、レバー部２２，２３の形状は、必ずしも略Ｕ字状や略コ字状に形成されていることに限定されず、他の形状に形成されていてもよい。
【００３２】
また、レバー部を構成する中央板部２３は、必ずしも上述した形状であることに限定されない。例えば、突起部２３ａは中央板部２３の両端付近に設けられている必要はなく、一方端付近のみや、中央付近のみに設けられていてもよい。あるいは、中央板部２３全体が、前面側に突出して突出部を形成していてもよい。
【００３３】
なお、図９は、機器５０にトランシーバモジュール１０を装着させる構成の変形例である。この図に示すように、機器５０に対して装着したトランシーバモジュール１０の突出端の位置が階段状になるよう、機器５０の各ケージの深さを変化させてもよい。このとき、トランシーバモジュール１０のレバー部を構成する中央板部２３は、上述した形状のものでもよく、いかなる形状であってもよい。例えば、図９の構成においては、中央板部２３に突出部２３ａが設けられていなくてもよい。
【００３４】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００３５】
１０  トランシーバモジュール
１１  前面側接続端子部
１２  内部側端子部
２０  挿抜機構
２１  スライド部
２１ａ  爪部
２２  側板部
２３  中央板部
２３ａ  突出部
２３ｂ  凹部
２３ｃ  操作凹部
３０  ケーブル
５０  機器
【図１】
2017187692.tif 000003
【図２】
2017187692.tif 000004
【図３】
2017187692.tif 000005
【図４】
2017187692.tif 000006
【図５】
2017187692.tif 000007
【図６】
2017187692.tif 000008
【図７】
2017187692.tif 000009
【図８】
2017187692.tif 000010
【図９】
2017187692.tif 000011